(57)【特許請求の範囲】
【請求項１】
電気回路を構成するバスバーの接続部に、大電流を供給する回路用電線の端部に圧着された接続端子が接続される電気回路の接続構造において、
上記接続端子には、上記回路用電線と共に放熱用電線の一端が共通圧着され、該放熱用電線の他端側を回路用電線とは離間した状態で延出し、上記放熱用電線の端末のみに絶縁テープを巻き付けて絶縁処理部を形成し、該絶縁処理部は放熱用電線の端末の手前位置からテープ巻きされて端末を僅か越える位置まで延出された延出部が設けられ、該延出部は放熱用電線の端末に折り返されて更にテープで端末に巻き付け固定されていることを特徴とする電気回路の接続構造。
【発明の詳細な説明】
【０００１】
【発明の属する技術分野】
本発明は、電気回路の接続構造に関し、詳しくは、大電流が供給される電気回路を効率的に放熱できるようにするものである。
【０００２】
【従来の技術】
図４に示すように、例えば、車両に搭載されるバッテリーとオルタネータに接続された大電流を供給するための回路用電線１、２は、リレーブロック３内の電気回路を構成するバスバー３ａの接続部３ｂに、それぞれ分割されて接続端子１ａ、２ａを介してボルトＢにて接続されている。上記電気回路には矢印Ａで示される方向に大電流が供給されると、接続部３ｂ付近で発熱を生じる。
【０００３】
上記発熱を抑制するため、電線サイズを太くすることも効果的であるが、相手部品に対応する端子サイズによっては、接続端子１ａに圧着不能となる場合もある。また、バスバー３ａの板厚を厚くすることも考えられるが、これもリレーブロック３の有効スペースの関係で無理な場合がある。
【０００４】
【発明が解決しようとする課題】
そこで、図５に示すように、接続端子４に回路用電線５と放熱用電線６とを共通圧着することで、放熱用電線６から過剰発熱分を放熱するようにしたものがある（特開平９−３５７６６号公報）。
【０００５】
しかしながら、上記放熱用電線６は回路用電線５に螺旋状に巻き付けられて、端末を回路用電線５にテープＴで固定しているため、放熱用電線６の放熱面積が減少し、放熱効率が低下することとなる。また、放熱用電線６の端末処理も通常のテープＴの巻き付けで処理されているため、テープＴの捲れにより放熱用電線６の芯線が露出し易い状態となっている。
【０００６】
本発明は上記した問題に鑑みてなされたもので、電気回路の放熱効果を向上させると共に、放熱用電線の端末からの芯線露出を確実に防止し得る端末処理がなされた電気回路の接続構造を提供することを課題としている。
【０００７】
【課題を解決するための手段】
上記課題を解決するため、本発明は、電気回路を構成するバスバーの接続部に、大電流を供給する回路用電線の端部に圧着された接続端子が接続される電気回路の接続構造において、
上記接続端子には、上記回路用電線と共に放熱用電線の一端が共通圧着され、該放熱用電線の他端側を回路用電線とは離間した状態で延出し、上記放熱用電線の端末のみに絶縁テープを巻き付けて絶縁処理部を形成し、該絶縁処理部は放熱用電線の端末の手前位置からテープ巻きされて端末を僅か越える位置まで延出された延出部が設けられ、該延出部は放熱用電線の端末に折り返されて更にテープで端末に巻き付け固定されていることを特徴とする電気回路の接続構造を提供している。
【０００８】
上記構成によれば、大電流の供給により電気回路に生じる発熱を、バスバーの接続部に接続された接続金具を介して、放熱用電線により放熱させることができ、その際、放熱用電線は回路用電線とは完全分離されているため、放熱面積が大きく、大なる放熱効果を得ることができる。また、放熱用電線の端末は、テープ巻きにより延出された延出部が折り返されて二重に巻き付け処理されているため、多少のテープの剥がれによっても放熱用電線の端末の芯線が露出するのを確実に防止できる。
【０００９】
【発明の実施の形態】
以下、本発明の実施形態を図面を参照して説明する。
図１は、電気回路の接続構造の一例として、車両に搭載されるリレーブロック１３に、バッテリー１０ａからオルタネータ１０ｂへ至る経路を分断して接続したものを示している。リレーブロック１３内には電気回路を構成するバスバー１３ａが配置され、一端に大電流を必要とする機器への接続用のタブ１３ｃが形成され、他端には、バッテリー１０ａに接続される回路用電線１１と、オルタネータ１０ｂに接続される回路用電線１２を接続するためのネジ孔１３ｄ、１３ｅを有するプレート状の接続部１３ｂを形成している。
【００１０】
一方、上記回路用電線１１、１２の端末には、図２に示すように、ボルト孔Ｂａを有する接続端子１１ａ、１２ａが圧着され、該接続端子１１ａ、１２ａには、回路用電線１１、１２と共に放熱用電線１６、１７の一端を共通圧着している。放熱用電線１６、１７の他端側は放熱表面積確保のため、回路用電線１１、１２とは離間した状態で延出し、端末には芯線の露出を防止するために絶縁処理部１６ａ、１７ａを施している。
【００１１】
上記絶縁処理部１６ａ、１７ａは、図３（Ａ）に示すように、放熱用電線１６、１７の端末から内側に所要寸法ａだけ手前位置から絶縁テープＴａを巻き付け、図３（Ｂ）に示すように、端末から僅かな寸法ｂだけ超えた位置まで絶縁テープＴａより延出させて延出部１６ｂ、１７ｂを形成する。
【００１２】
次いで、図３（Ｃ）（Ｄ）に示すように、延出部１６ｂ、１７ｂを内側へ折り返して更に絶縁テープＴａを巻き付けて固定することにより、端末部に確実な絶縁処理を施した絶縁処理部１６ａ、１７ａを得ることができる（図３（Ｅ））。
【００１３】
そして、上記のようにして回路用電線１１、１２と放熱用電線１６、１７の端部に共通圧着した接続端子１１ａ、１２ａを、リレーブロック１３の接続部１３ｂのネジ孔１３ｄ、１３ｅにそれぞれ合致させ、ボルトＢにて締め付け固定することで所要の電気回路を構成するようにしている。上記構成からなる電気回路の接続構造に対し、バッテリー１０ａから大電流が供給されると、接続部１３ｂ付近で発熱を生じるが、その発熱は回路用電線１１、１２から離間されて放熱面積が大きく設定された放熱用電線１６、１７を通じて効率よく放熱される。また、放熱用電線１６、１７の端末は、巻き付けられた絶縁テープＴの延出部１６ｂ、１７ｂが折り返されて、更にテープ巻きされているため、端末からの芯線露出のおそれがない。
【００１４】
【発明の効果】
以上の説明より明らかなように、本発明の電気回路の接続構造にれば、大電流が供給されて接続部に生じる発熱を、放熱用電線の熱拡散により放熱でき、該放熱用電線は回路用電線から離間された状態にあるため、放熱面積を十分にとることができ、放熱効率を向上することができる。また、放熱用電線の端末部は絶縁テープの巻き付けにより端部から延出された部分を、内側へ折り返して更にテープ巻き固定するようにしているため、端部からの芯線露出を確実に防止することができる。
【図面の簡単な説明】
【図１】本発明の電気回路の接続構造を示す図面である。
【図２】接続端子への回路用電線、放熱用電線の共通圧着状態を示す図面である。
【図３】（Ａ）乃至（Ｅ）は放熱用電線の端末処理工程を示す図面である。
【図４】従来例を示す図面である。
【図５】従来例を示す図面である。
【符号の説明】
Ｂ  ボルト
Ｔａ  絶縁テープ
１１、１２  回路用電線
１１ａ、１２ａ  接続端子
１３ａ  バスバー
１３ｂ  接続部
１６、１７  放熱用電線
１６ａ、１７ａ  絶縁処理部
１６ｂ、１７ｂ  延出部
【図１】
0003555477.tif 000002
【図２】
0003555477.tif 000003
【図３】
0003555477.tif 000004
【図４】
0003555477.tif 000005
【図５】
0003555477.tif 000006